(57)【要約】      （修正有）【課題】分娩など被処置者が精神の安定を得られる医療用処置室を提供する。【解決手段】医療用処置室１０は、映写装置（プロジェクター）２０ａ〜２０ｄからなる映像出力部と、音響装置（スピーカ）３０ａおよび３０ｂからなる音声出力部と、照明装置４０ａ〜４０ｄからなる照明部と、操作板５０ａおよび操作パネル５０ｂからなる操作部５０と、制御装置と、に加え、医療用処置室としての通常の設備を有して、接合部が湾曲した壁面に境界なく画像を映写することによって、被処置者にとって快適な空間を演出する。また、音声、照明、芳香等を協調させることで、被処置者がより精神の安定を得られるよう支援する。【選択図】図１
2011229596.tif 000002
【特許請求の範囲】
【請求項１】
壁面をスクリーンとして使用する医療用処置室であって、
側面と、天井面と、の接合部の少なくとも一部が相互に湾曲し、
前記側面と、前記天井面と、にわたって画像を投影する複数の映写装置と、
床面の中央部に設置される、被処置者を収容する処置台と、を備えている
ことを特徴とする医療用処置室。
【請求項２】
請求項１に記載の医療用処置室であって、
前記画像が投影される側面は、前記処置台に前記被処置者が収容された際における、該被処置者の左右の側面、および足側の側面である
ことを特徴とする医療用処置室。
【請求項３】
請求項１または２に記載の医療用処置室であって、
音響装置をさらに備えている
ことを特徴とする医療用処置室。
【請求項４】
請求項１から３の何れか一項に記載の医療用処置室であって、
照明装置をさらに備えている
ことを特徴とする医療用処置室。
【請求項５】
請求項４に記載の医療用処置室であって、
前記照明装置は、前記側面に沿って配置され、上方向を照射するものである
ことを特徴とする医療用処置室。
【請求項６】
請求項１から５の何れか一項に記載の医療用処置室を備える医療用支援システムであって、
画像データを記憶する記憶手段と、前記映写装置に投影させる前記画像データを出力する制御手段と、を有する制御装置を備えている
ことを特徴とする医療用支援システム。
【請求項７】
請求項６に記載の医療用支援システムであって、
前記医療用処置室は、当該医療用処置室内の音声の音域を検出するセンサを備え、
前記制御装置は、前記センサが検出した音域が所定の範囲にある場合に、前記記憶手段に記憶される所定の画像データを出力する
ことを特徴とする医療用支援システム。
【発明の詳細な説明】
【技術分野】
【０００１】
本発明は、医療用処置室、及び医療用支援システムに関する。
【背景技術】
【０００２】
今日、分娩に母体の精神状態が大きく関わることが知られており、母体の精神状態を安定させる分娩法が実践されている。例えば、ラマーズ法と称される呼吸法は、呼吸に集中することで母体の緊張を緩和させ陣痛を和らげるものである。引用文献１には、呼吸のリズムを知らせる装置が開示されている。
【先行技術文献】
【特許文献】
【０００３】
【特許文献１】特開２００６−３２５７０２号公報
【発明の概要】
【発明が解決しようとする課題】
【０００４】
しかしながら、実際に呼吸法によって十分なリラックス効果を得るには、出産前からのトレーニングが必要である。また、その他の分娩法も数多くあるが、トレーニングなしに精神状態を安定させるのは難しく、そもそも分娩時に意識をコントロールすることは容易なことではない。
【０００５】
そこで本発明は、被処置者が精神の安定を得られるよう支援する医療用処置室を提供する。
【課題を解決するための手段】
【０００６】
本発明に係る医療用処置室は、壁面をスクリーンとして使用する医療用処置室であって、側面と、天井面と、の接合部の少なくとも一部が相互に湾曲し、前記側面と、前記天井面と、にわたって画像を投影する複数の映写装置と、床面の中央部に設置される、被処置者を収容する処置台と、を備えていることを特徴とする。
【発明の効果】
【０００７】
被処置者が精神の安定を得られるよう支援する医療用処置室を提供できる。
【図面の簡単な説明】
【０００８】
【図１】本発明の第１の実施形態に係る医療用支援システム１００の上面図である。
【図２】医療用処置室１０を、図１のＸ−Ｘ’線断面を矢視方向Ｙから見た場合の断面図である。
【図３】医療用処置室１０の斜視図である。
【図４】図４は、医療用支援システム１００の機能構成を説明するためのブロック図である。
【図５】テーマテーブル１２１１の説明図である。
【図６】条件テーブル１２２１の説明図である。
【図７】制御装置１０１の処理を説明するためのフロー図である。
【図８】制御装置１０１の電気的な構成を説明するためのブロック図である。
【発明を実施するための形態】
【０００９】
本発明の一実施形態について、図面を参照しながら説明する。尚、すべての図面において同様の構成要素には同様の符号を付し、適宜説明を省略する。
【００１０】
図１に、本発明の一実施形態に係る医療用支援システム１００の斜視図を示す。
【００１１】
図１に示すように、医療用支援システム１００は、スクリーンを兼ねる医療用処置室１０と、図示しない制御装置１０１と、を有している。
【００１２】
医療用処置室１０は、映写装置（プロジェクター）２０ａ〜２０ｄからなる映像出力部２０と、音響装置（スピーカ）３０ａおよび３０ｂからなる音声出力部３０と、照明装置４０ａ〜４０ｄからなる照明部４０と、操作板５０ａおよび操作パネル５０ｂからなる操作部５０と、制御装置１０１と、に加え、医療用処置室としての通常の設備を有しているものである。
【００１３】
図２に、医療用処置室１０を図１のＸ−Ｘ’線断面を矢視方向Ｙから見た場合の断面図を、図３に、医療用処置室１０の斜視図を示す。
【００１４】
医療用処置室１０は、４つの側面、天井面５、および床面６の計６面からなり、その中央に処置台９０が設置された分娩室である。ここでは、被処置者が処置台９０に収容された場合において、被処置者の左側の側面を左側面１、足側の面を前面２、右側の側面を右側面３、頭部側の面を背面４として説明する。
【００１５】
医療用処置室１０は、背面４及び床面６を除いた面の接合部（すなわち、図３に示す左側面１と前面２との接合部である湾曲面１２、前面２と右側面３との接合部である湾曲面２３、左側面１と天井面５との接合部である湾曲面１５、前面２と天井面５との接合部である湾曲面２５、および、右側面３と天井面５との接合部である湾曲面３５）が、四分円状に湾曲面して構成されている。このような医療用処置室１０では、視覚上、背面４を除く側面と側面、および天井と側面の境界が分からないようになっている。
【００１６】
なお、各接合部は、長方形状の鉄板を複数並べて湾曲面を形成した後、鉄板上に下地となるボードを貼り、塗料を塗装することで形成することができる。色は白色が望ましい。
【００１７】
図２に示すように、医療用処置室１０の右側面３には出入口Ａが、背面４には出入口ＢおよびＣが設けられている。
加えて、右側面１、前面２、および左側面３と、これらの接合部を形成する湾曲面１２、２３に沿って、照明棚７が形成されている。照明棚７は、その上面のみが光透過性の部材で構成されており、内部に収容された照明装置４０ａおよび４０ｂからの光を透過させて室内を上方向に照明させる。すなわち、照明は天井側の接合部１５、２５、３５に向かって照射されるので、陰が生じにくく、間接光でありながら処置に要する光量を確保することが可能である。なお、照明棚７の上面と同じ高さの台８をさらに設けてもよい。
【００１８】
さらに背面４には、出入り口ＢおよびＣの上部に前面２の方向に開口する機材設置棚４５が形成されている。機材設置棚４５には、後述の映写装置、照明装置、音響装置等が設置される。なお、機材設置棚４５に、図１〜３には図示しない制御装置１０１を設置してもよい。
【００１９】
映像出力部２０は、左側面１と接合部１２、１５を含むＡ面に映像を投影する映写装置２０ａと、前面２と接合部１２、２３、２５を含むＢ面に映像を投影する映写装置２０ｂと、右側面３と接合部２３、３５を含むＣ面に映像を投影する映写装置２０ｃと、天井面５と接合面１５、２５、３５を含むＤ面に映像を投影する映写装置２０ｄと、を有している。これらの映写装置２０ａ〜２０ｄは、液晶パネルを内蔵し、放電光を利用した光源ランプからの光を透過させてレンズを介し拡大投射するプロジェクターである。なお、画像を各面に投影可能であれば、プロジェクターの形式に制限はない。
【００２０】
また、各映写装置は、制御装置１０１から供給される画像信号に基づいて画像を投影する。該画像信号が相互に協調した４面合成画像であれば、各映写装置からの画像は、映像ブレンディングによりＡ面〜Ｄ面に境界なく一体の画像として映写される。
【００２１】
またここでは、映写装置２０ａは右側面３と背面４との接合部の上角部に、映写装置２０ｂは機材設置用の棚４５に、映写装置２０ｃは左側面１と背面４との接合部の下角部に、映写装置２０ｄは右側面３と背面４との接合部の下角部に、それぞれ設置されているものとする。
【００２２】
音声出力部３０は、機材設置棚４５に設置される音響装置３０ａと音響装置３０ｂとからなる。これらの音響装置３０ａおよび３０ｂは、制御装置１０１に接続され、制御装置１０１から供給される音声信号に基づいて音声を出力する。なお、各音響装置は、処置台９０に音声が届き、医療行為の妨げにならない位置であれば、特に制限はない。
【００２３】
照明部４０は、照明棚７の内部に収容され、上方を照らす３色（ＲＧＢ）ＬＥＤの照明装置４０ａ、４０ｂと、機材設置用の棚４５に設置され、室内の任意の場所を照らす３色（ＲＧＢ）ＬＥＤの照明装置４０ｃ、４０ｄと、からなる。各照明装置は、制御装置１０１に接続され、制御装置１０１から供給される信号により発光する。これらは、輝度の調節を受けることでさまざまな色での照明を実現できる。
【００２４】
操作部５０は、オペレータからの入力を受け付けるためのユーザインタフェースであり、利用者が踏みつけることで押下可能なペダルスイッチを備える操作板５０ａと、ディスプレイおよびＧＵＩ上の目的の動作を示すグラフィクスを操作するためのポインティングデバイス等を含む操作パネル５０ｂと、を備えている。なお、ポインティングデバイスは、マウスや画面に直接接触するようなタッチパネル等、どのようなものでもよい。操作部５０を介した指示は、制御装置１０１に送信される。
【００２５】
操作板５０ａは、医療用処置室の床面６に設置され、医師、看護師、助産師などの処置を施す者が手を使用せずに、足で衛生的に操作できるようになっている。なお、操作板５０ａは複数のペダルスイッチを搭載しており、本実施形態では、それぞれのペダルが後述するテーマにリンクされ、利用者はスイッチを踏むことで再生テーマを設定することができるようになっている。また、操作板５０ａには、後述するモードを選択するためのペダルスイッチも別途設けられているものとする。なお、各ペダルスイッチには、それぞれ異なる色彩が施されており、暗い中でもテーマおよびモード別の各ペダルスイッチが明確に見分けられるようになっている。
これにより、操作者は、テーマ選択と再生開始・終了指示を、ペダルスイッチを介して入力することができる。
【００２６】
操作パネル５０ｂは、ディスプレイ上に制御装置１０１から送信される画像情報に基づく選択メニューが表示され、利用者は当該選択メニューを介して、テーマおよびモードを選択することができる。
【００２７】
なお、室内には、複数の芳香剤を収容し、医療用処置室内に芳香剤を放出する芳香装置８０がさらに設けられていてもよい。なお、芳香装置８０は、制御装置１０１に接続されており、制御装置１０１からの信号に基づいて任意の芳香剤を放出することができる。
【００２８】
次に、制御装置１０１について説明する。図４は、制御装置１０１の機能的な構成を示すブロック図である。
【００２９】
制御装置１０１は、図４に示すように、制御部１１０と、記憶部１２０と、センサ群１３０と、Ｉ／Ｆ部１４０と、を有する。
【００３０】
Ｉ／Ｆ（入出力インターフェース）部１４０は、映像出力部２０と、音声出力部３０と、照明部４０と、操作部５０と、センサ群１３０と、を制御装置１１１の制御部１１０に接続する。
【００３１】
センサ群１３０を構成するセンサはどのようなものであっても良いが、ここでは、被処置者の脈拍を脈拍計１３１、被処置者の心臓の拍動に伴う心筋細胞の活動電位の時間的変動を検出する心電計１３２、室内の音声の音域および音量を検出する音声センサ１３３を備えているものとする。
【００３２】
次に記憶部１２０について説明する。記憶部１２０は、テーマに関するデータを記憶するテーマ記憶領域１２１と、テーマの再生条件を記憶する条件テーブル記憶領域１２２と、を有している。
【００３３】
テーマとは、画像データ、音声データ、照明データ、および芳香データ等単体、または、複数組み合わせたものであり、テーマ記憶領域１２１には、各データと、図５に示すテーマテーブル１２１１とが格納されている。画像データは、例えば、写真画像、ビデオ画像、ＣＧアニメーション画像等であり、照明データは、例えば、照明の照射時間、照射タイミング、色、輝度等のパターンに関する情報である。芳香データは、例えば芳香剤の種類、芳香タイミング、芳香剤の放出強度等に関する情報である。各データはそれぞれ識別子が付与されて管理されている。
【００３４】
テーマテーブル１２１１は、テーマ名が格納されるテーマ名格納領域１２１１ａと、各テーマで再生される各データの識別子が格納されるデータ識別子格納領域１２１１ｂと、を有している。なお、テーマは、画像データ、音声データ、照明データ、および芳香データの全てが揃っている必要はないが、テーマを構成する各データは、協調して利用者にエンタテインメント性を感じさせるものであることが望ましい。
特に、本実施形態の分娩室は、視覚効果上、つなぎ目の無いスクリーンに投影するものであるから、開放空間を演出可能な動画像が効果的である。たとえば、大地や草原などの大自然を連想させる画像、上昇する気泡を写し水中に潜ったような感覚を抱かせる画像、など幻想的な画像が挙げられる。
【００３５】
次に、条件テーブル記憶領域１２２について説明する。条件テーブル記憶領域１２２には、テーマの再生条件が格納される条件テーブル１２２１が記憶されている。図６に示すように、条件テーブル１２２１は、テーマの再生条件が格納される条件格納領域１２２１ａと、再生テーマ名が格納される再生テーマ名格納領域１２２１ｂと、を有している。
【００３６】
テーマの再生条件とは、再生テーマを決定するための条件であり、センサ群１３０からの信号に基づくものある。ここでは例えば、脈拍計１３１から判断される被処置者の脈拍値、心電計１３２から判断される心拍数や心拍リズム、音声センサ１３３から判断される音域や音量等、もしくは、その組み合わせである。
【００３７】
具体的には、被処置者の脈拍値の所定の範囲、心拍数の所定の範囲、音域の所定の（例えば、新生児の泣き声に特徴的な）範囲等が再生条件として条件格納領域１２２１ａに格納され、検出値がその範囲にあれば、関連付けられた再生テーマが再生される。なお、利用者が操作部５０を介して、任意の条件と当該条件を満たす場合の再生テーマとを登録することも可能である。
【００３８】
制御部１０１は、利用者の操作から動作モードを変更するモード設定部１１１と、再生するテーマを選択するテーマ選択部１１２と、各テーマで再生されるデータを記憶部１２０から読み出して信号を生成・出力するテーマ再生部１１３と、を有している。
【００３９】
モード設定部１１１は、利用者からの操作部５０を介した動作モードの変更を受け付ける。本実施形態では、利用者が望む再生テーマを選択する利用者選択モードと、センサ群１３０からの検出信号に基づいて、制御装置１０１が自動的にテーマを選択する自動選択モードと、の２通りの動作モードが備えられているものとする。モード設定部１１１は、動作モードが変更されると、テーマ選択部１１２に変更先の動作モードを識別するための情報を含む変更通知を出力する。
【００４０】
テーマ選択部１１２は、変更通知を受信すると、変更先の動作モードに基づく処理の実行を開始する。各動作モードにおけるテーマ選択部１１２の処理について、以下、説明する。
【００４１】
動作モードが利用者選択モードに変更された場合、テーマ選択部１１２は、操作部５０を介して利用者からテーマの変更操作を受け付ける。そして、テーマ選択部１１２は、利用者から指示されたテーマの再生を、テーマ再生部１１３へと要求する。
【００４２】
動作モードが自動選択モードに変更された場合、テーマ選択部１１２は、センサ部１３０から検出信号の受信を開始する。そして、テーマ選択部１１２は条件テーブル１２２１を参照して、センサ部１３０の検出信号と合致する再生条件と、当該再生条件に関連付けられた再生テーマを特定し、当該テーマの再生をテーマ再生部１１３へと要求する。
【００４３】
なお、検出信号に基づく再生条件の特定は、どのような方法で行われてもよい。例えば、全ての検出値が完全に一致する内容の条件を特定する方法や、各条件に予め優先順位を付与しておき、優先順位の高い順に検出値と条件とを比較する方法等である。
【００４４】
テーマ再生部１１３は、テーマ選択部１１２からテーマの再生要求を受け付けると、テーマテーブル１２１１を参照して、再生テーマに関連付けられた画像データ、音声データ、照明データ、および芳香データの識別子を特定し、記憶部１２０から当該データを読み込む。そして、各データを再生するための信号を生成し、映像出力部２０、音声出力部３０、照明部４０、芳香装置８０に対して出力する。
【００４５】
ここで、医療用支援システム１００のハードウェア構成について説明する。図８は、制御装置１０１の電気的な構成を示すブロック図である。
【００４６】
図８に示すように、制御装置１０１は、プログラムが動作する一般的なコンピュータであり、例えば、パーソナルコンピュータや、ワークステーションである。
【００４７】
図８に示すように、制御装置１０１は、各部を集中的に制御するＣＰＵ（Ｃｅｎｔｒａｌ  Ｐｒｏｃｅｓｓｉｎｇ  Ｕｎｉｔ）９０１と、各種データを書換え可能に記憶するメモリ９０２と、各種のプログラム、プログラムの生成するデータ等を格納する外部記憶装置９０３と、これらを接続するバス９０４と、を備える。制御装置１０１は、例えば、外部記憶装置９０３に記憶されている所定のプログラムを、メモリ９０２に読み込み、ＣＰＵ９０１で実行することにより実現可能である。
【００４８】
なお、上記した各構成要素は、制御装置１０１の構成を理解容易にするために、主な処理内容に応じて分類したものである。その名称によって、本願発明が制限されることはない。制御装置１０１が行う処理は、処理内容に応じて、さらに多くの構成要素に分類することもできる。また、１つの構成要素がさらに多くの処理を実行するように分類することもできる。
【００４９】
また、各機能部は、ハードウエア（ＡＳＩＣなど）により構築されてもよい。また、各機能部の処理が一つのハードウェアで実行されてもよいし、複数のハードウェアで実行されてもよい。
【００５０】
以上のような制御装置１０１の処理について、図７を用いて説明する。図７は、電源投入後に開始される制御装置１０１の制御部１１０の処理の流れを示すフローチャートである。
【００５１】
モード設定部１１１は、操作部５０を介した利用者からのモード変更指示を受け付ける（Ｓ１１）。モード変更指示があった場合には（ＹＥＳ）、モード設定部１１１は、テーマ選択部１１２に、指示されたモードを識別するための情報を含むモード変更通知を出力する（Ｓ１２）。
【００５２】
テーマ選択部１１２は、モード変更通知を受け付けると、利用者から指示されたモードの種類を判断する（Ｓ１３）。指示されたモードが自動選択モードであった場合には（ＹＥＳ）、ステップＳ１４へ、利用者選択モードであった場合には（ＮＯ）、ステップＳ１８へと進む。
【００５３】
モードが自動選択モードであった場合（Ｓ１３でＹＥＳ）、テーマ選択部１１２は、センサ群１３０の各センサからそれぞれ信号を取得し（Ｓ１４）、条件テーブル１２２１を参照して各信号に一致するレコードの再生テーマ名を取得する（Ｓ１５）。そして、テーマ選択部１１２は、再生テーマを識別するための情報（テーマ名）を含むテーマ再生要求を、テーマ再生部１１３へと出力する。
【００５４】
一方、モードが自動選択モードであった場合（Ｓ１３でＮＯ）、テーマ選択部１１２は、操作部５０を介した利用者からのテーマ変更指示を受け付ける（Ｓ１８）。テーマ変更指示があった場合には（ＹＥＳ）、テーマ選択部１１２は、指示された再生テーマを識別するための情報（テーマ名）を含むテーマ再生要求を、テーマ再生部１１３へと出力する。
【００５５】
テーマ再生部１１３は、テーマ再生要求を受け付けると、テーマテーブル１２１１を参照して、一致するテーマ名のレコードから、当該テーマに関連付けられた画像データ、音声データ、照明データの識別子を取得する（Ｓ１６）。さらに、テーマ再生部１１３は、各識別子で特定されるデータをテーマ記憶領域１２１から読み込み、映像出力部２０、音声出力部３０、照明部４０に対し、各データを再生するための信号を出力し（Ｓ１７）、再びＳ１３に戻って、処理を繰り返す。なお、テーマ再生部１１３は、データの再生中に、操作部５０を介して中止要求を受け付けると、再生を中止してＳ１１の処理を戻す。
【００５６】
上記したフローの各処理単位は、制御装置１０１の処理を理解容易にするために、主な処理内容に応じて分割したものである。構成要素の分類の仕方やその名称によって、本願発明が制限されることはない。制御装置１０１の構成は、処理内容に応じて、さらに多くの構成要素に分割することもできる。また、１つの構成要素がさらに多くの処理を実行するように分類することもできる。
【００５７】
以上、本実施形態に係る医療用支援システム１００について説明した。
【００５８】
このような構成によれば、医療用支援システム１００は、映像、音声、照明、および芳香等を組み合わせることによって、被処置者の望む空間を演出し、被処置者は精神的な安定を速やかに得ることができる。
【００５９】
また、３面アール構造の医療用処置室１０をスクリーンとして使用することで、境界の無い画像を４面に映し出すことができる。これにより、被処置者の方向感覚を混乱させ、あたかも空中に浮いているような間隔を呼び起こすことが可能である。また、処置室という限られた空間においても、天井や壁面による閉塞感感じさせることなく、開放感を感じさせることができる。
【００６０】
さらに、全天型のドームとは異なり、中央に映写装置を置く必要がないため、被処置者を部屋の中央に位置させることができる。これにより、被処置者は自分が中心となってより臨場感を得る事が可能である。また、ドーム型ではないため、音声が被処置者に集まってしまい、処置の妨げとなることがない。
【００６１】
また、センサからの信号に基づいて再生テーマを変更することで、より被処置者の状態にあわせた最適な空間を演出することができる。
【００６２】
例えば、制御部１０１は、脈拍や心拍数が予め定めた値を超えた場合に、予め定められたリラックスを促す画像や音声を出力することができる。
【００６３】
また、制御部１０１は、取得音声が予め定められた音域にある場合、予め定められたリラックスを促す画像や音声を出力することができる。たとえば、取得音声の音域が、予め定められた新生児の泣き声の音域に相当する場合、予め定められた妊婦にリラックスを促す画像や音声を出力することができる。
【００６４】
また、制御部１０１は、取得した音声の音域を監視し、予め定めた音域の音声の取得があった後に、所定の時間経過後、取得される脈拍や心拍数が予め定めた値に収まった場合は、妊婦が出産後に緊張が緩和したとして、予め定めた誕生を祝う画像や音声を出力するようにしてもよい。
【符号の説明】
【００６５】
１：左側面、２：前面、３：右側面、４：背面、５：天井面、６：床面、７：照明棚、８：台、１０：医療用処置室、１２，２３，１５，２５，３５：湾曲面、４５：機材設置棚、２０：映像出力部、３０：音声出力部、４０：照明部、５０：操作部、８０：方向装置、９０：処置台、１０１：制御装置、１１０：制御部、１２０：記憶部、１３０：センサ群、１４０：入出力インターフェース部
【図１】
2011229596.tif 000003
【図２】
2011229596.tif 000004
【図３】
2011229596.tif 000005
【図４】
2011229596.tif 000006
【図５】
2011229596.tif 000007
【図６】
2011229596.tif 000008
【図７】
2011229596.tif 000009
【図８】
2011229596.tif 000010